(57)【要約】【課題】本発明においては、ＡＶデータの再生と、ＰＣの外部記憶装置としてのデータ再生とを判定して光ディスクの回転速度を制御し、光ディスクの風切り音や、回転に伴う振動を抑えＡＶデータ再生時には、オーディオや映像の静かに楽しむことができる情報再生装置および情報再生装置の再生方法を提供することを目的とする。【解決手段】光ディスク１１を複数の回転速度で回転させる回転手段と、光ディスク１１の情報を読み込む手段と、先読み情報を一時保存するバッファメモリ１９と、バッファメモリ先読み処理時間を測定する手段を有し、所定期間内でのバッファメモリ１９への先読み処理時間を測定し、前記先読み処理と閾値を判定し、先読み処理時間が閾値を下回る場合に光ディスク１１の回転速度を下げる構成とした。【選択図】図１
2006331565.tif 000002
【特許請求の範囲】
【請求項１】
ディスクを回転させる回転手段と、
前記ディスクの記録情報を読み込む手段と、
前記読み込み情報を外部に出力するまでの間、情報を一時保存するバッファメモリと、
前記バッファメモリへの一時保存情報を取得するのに要する一時保存情報処理時間を測定する手段と、を有し、
前記一時保存情報処理時間を基に前記ディスクの回転速度を制御することを特徴とする情報再生装置。
【請求項２】
前記一時保存情報処理時間が閾値を下回る場合には、前記ディスクの回転速度を低速モードとすることを特徴とする請求項１記載の情報再生装置。
【請求項３】
前記バッファメモリへの一時保存情報は、ＡＶデータであることを特徴とする請求項２記載の情報再生装置。
【請求項４】
前記一時保存情報処理時間が閾値以上の場合、またはバッファメモリへの一時保存処理が発生しない場合には、前記光ディスクの回転速度を高速モードとすることを特徴とする請求項１記載の情報再生装置。
【請求項５】
前記バッファメモリへの一時保存情報は、外部機器のデータディスクであることを特徴とする請求項４記載の情報再生装置。
【請求項６】
ディスクを回転させる回転手段と、
前記ディスクの記録情報を読み込む手段と、
前記読み込み情報を外部に出力するまでの間、前記読み込み情報を一時保存するバッファメモリと、
前記バッファメモリへの一時保存情報を取得するのに要する一時保存情報処理時間を測定する手段と、を有する情報再生装置であって、
前記ディスクの再生において所定期間内での前記一時保存情報処理時間を測定し、
前記一時保存情報処理時間と閾値を判定し、前記一時保存情報処理時間が閾値を下回る場合に前記ディスクの回転速度を下げることを特徴とする情報再生装置。
【請求項７】
ディスクを回転させる回転手段と、
前記ディスクの記録情報を読み込む手段と、
前記読み込み情報を外部に出力するまでの間、バッファメモリへの一時保存情報を一時保存するバッファメモリと、
前記バッファメモリへの一時保存情報を取得するのに要する一時保存情報処理時間を測定する手段と、を有する光ディスク装置であって、
前記ディスクの再生において所定期間内での前記一時保存情報処理時間を測定し、
前記一時保存情報処理時間と閾値を判定し、前記一時保存情報処理時間が閾値以上の場合に前記ディスクの回転速度を上げることを特徴とする情報再生装置。
【請求項８】
ディスクを回転させ、
前記ディスクの記録情報を読み込み、
前記読み込み情報を外部に出力するまでの間、読み込み情報をバッファメモリに一時保存し、
前記バッファメモリへの一時保存情報を取得するのに要する一時保存情報処理時間を測定する情報再生装置の再生方法であって、
前記ディスクの再生において所定期間内での前記バッファメモリへの一時保存情報処理時間を測定し、
前記バッファメモリへの一時保存情報処理時間と閾値を判定し、前記バッファメモリへの一時保存情報処理時間が閾値を下回る場合に前記ディスクの回転速度を下げることを特徴とする情報再生装置の再生方法。
【請求項９】
ディスクを回転させ、
前記ディスクの記録情報を読み込み、
前記読み込み情報を外部に出力するまでの間、前記読み込み情報をバッファメモリに一時保存し、
前記バッファメモリへの一時保存情報を取得するのに要する一時保存情報処理時間を測定する情報再生装置の再生方法であって、
前記ディスクの再生において所定期間内での前記バッファメモリへの一時保存情報処理時間を測定し、
前記バッファメモリへの一時保存情報処理時間と閾値を判定し、前記バッファメモリへの一時保存情報処理時間が閾値以上の場合に前記ディスクの回転速度を上げることを特徴とする情報再生装置の再生方法。
【発明の詳細な説明】
【技術分野】
【０００１】
本発明は、コンピュータ等の外部記憶装置として用いられるデータディスクや音楽や映像再生用に記録されたデータ（以下ＡＶデータ）を再生するディスクの情報再生装置および情報再生装置の再生方法に関するものである。
【背景技術】
【０００２】
近年ハードディスク（ＨＤＤ）やＣＤ、ＣＤ−Ｒ、ＣＤ−ＲＷ、ＤＶＤ、ＤＶＤ−Ｒ、ＤＶＤ−ＲＡＭなどに代表される回転駆動されるディスクメディア等から情報を読み出す情報再生装置において、読み出し速度の高速化が図られてきているが、特にオーディオデータや映像データなどの情報を再生するのにディスクを高速回転してデータを読み出せば、高速回転による風切り音や、高速回転の振動による騒音や消費電力が大きくなりオーディオや映像の静かに楽しむ上で問題となることがある。一方、ホストコンピュータの外部記憶装置としては、ディスクメディア等に記録されたデータを高速で読み出すことが望ましい。
【０００３】
この分野の文献として（特許文献１）がある。
【０００４】
また、ディスク装置内には、ディスクの情報を一時記憶しておくバッファメモリを有しており、読み出したディスクの情報をホストコンピュータなどの外部機器に出力するまでの間バッファメモリに一時記憶する。この一時記憶を以下先読み、一時記憶情報を先読み情報と呼ぶ。
【０００５】
リッピングなどのホストコンピュータの外部記憶装置としてのデータの読み出しに際しては、ディスク上の情報のバッファメモリへの読み出し速度は、ホストコンピュータの負荷が重いなど特別の場合を除けば、バッファメモリからホストコンピュータへの読み出し速度より遅いために、一時記憶用のバッファメモリが一杯になることはないが、オーディオデータや映像データなどのＡＶデータの再生では、ビットレートの関係でホストコンピュータの読み出し速度が遅くなり一時記憶用のバッファメモリが一杯になる状態が頻発する。一時記憶用のバッファメモリの残量を検出し、検出した変化量に応じて回転速度を制御する文献としては、（特許文献２）がある。
【特許文献１】特開２００２−３６７２７６号公報
【特許文献２】特開２００３−２８１８１５号公報
【発明の開示】
【発明が解決しようとする課題】
【０００６】
しかしながら、（特許文献１）による方法では、ＤＶＤのＶＩＤＥＯであるか、ＤＶＤ−ＲＯＭであるかどうかを判別し、ＤＶＤの再生モードの回転制御を実施しているので、市販のプレス版のＤＶＤディスクでは、ＤＶＤ−ＶＩＤＥＯディスクかどうかの判別ができ、その判別情報をもとに回転制御が可能ではあるが、ＤＶＤのディレクトリ構成によらない個人作成のビデオファイル、例えば、ＣＤ−Ｒなどに作成したＡＶＩファイルやＭＯＶファイルなどの判別はできない。
【０００７】
またＤＶＤ−ＶＩＤＥＯのＣＳＳ認証情報による判別での回転制御においても個人作成のＤＶＤ−ＶＩＤＥＯファイルは、ＣＳＳ認証情報が通常ないのでこの方法での回転速度の制御ができなかった。
【０００８】
また、（特許文献２）においては、バッファメモリのデータ蓄積残量を検出して、蓄積量の変化率を算出して、スピンドルモータの回転数の制御を実施するもので、データの急な変化に伴うバッファメモリの変化に対応するものである。
【０００９】
本発明においては、オーディオデータや映像データなどのＡＶデータの再生と、ホストコンピュータなどの外部記憶装置としてのデータの転送とを判定しディスクの回転速度を制御し、ディスクの風切り音や、回転に伴う振動を抑えＡＶデータ再生時には、オーディオや映像の再生を静かに楽しむことができる情報再生装置を提供することを目的とする。
【課題を解決するための手段】
【００１０】
かかる課題を解決するため、ディスクを回転させる回転手段と、前記ディスクの記録情報を読み込む手段と、前記読み込み情報を外部に出力するまでの間、情報を一時保存するバッファメモリと、前記バッファメモリへの一時保存情報を取得するのに要する一時保存情報処理時間を測定する手段と、を有し、前記一時保存情報処理時間を基に前記ディスクの回転速度を制御することを特徴とする情報再生装置であって、ＣＰＵのバッファメモリへの先読み処理時間によってディスクの回転速度を変更することができるようになり、外部機器との転送レートが遅くバッファメモリがフルになりやすい状態を検知して、ＡＶデータなどの再生においては、オーディオや映像を静かに楽しむことができるようになる。
【発明の効果】
【００１１】
本発明の情報再生装置によれば、ホストコンピュータなどのような外部記憶装置としてのデータディスクに於いては、高速モードの回転速度で再生し、音楽や映像データなどのＡＶデータ再生に於いては騒音が少なく、振動も少ないようにディスクの情報を再生することができる。
【発明を実施するための最良の形態】
【００１２】
請求項１記載の発明は、ディスクを回転させる回転手段と、ディスクの記録情報を読み込む手段と、読み込み情報を外部に出力するまでの間情報を一時保存するバッファメモリと、バッファメモリへの一時保存情報を取得するのに要する一時保存情報処理時間を測定する手段と、を有し、一時保存情報処理時間を基にディスクの回転速度を制御することを特徴とする情報再生装置であって、ＣＰＵのバッファメモリへの先読み処理時間によってディスクの回転速度を変更することができるようになり、外部機器との転送レートが遅くバッファメモリがフルになりやすい状態を検知して、ＡＶデータなどの再生においては、オーディオや映像を静かに楽しむことができるようになる。
【００１３】
請求項２記載の発明は、一時保存情報処理時間が閾値を下回る場合には、ディスクの回転速度を低速モードとすることを特徴とする請求項１記載の情報再生装置であって、ホストコンピュータなどの外部機器への転送が遅くバッファメモリが一杯になる状態が頻発するようなデータの再生では、回転速度を落として静音や、消費電力を重視した情報再生装置を提供できるようになる。
【００１４】
請求項３記載の発明は、バッファメモリへの一時保存情報は、ＡＶデータであることを特徴とする請求項２記載の情報再生装置であり、ＡＶデータなどのようにビットレートの影響で、ホストコンピュータなどの外部機器への転送が遅くバッファメモリが一杯になる状態が頻発するようなデータの再生では、回転速度を落として静音を重視し、映像や音楽を楽しむことができる情報再生装置を提供できるようになる。
【００１５】
請求項４記載の発明は、一時保存情報処理時間が閾値以上の場合、またはバッファメモリへの一時保存処理が発生しない場合には、光ディスクの回転速度を高速モードとすることを特徴とする請求項１記載の情報再生装置であって、高速で外部機器へ転送するようなデータ再生においては、光ディスクの回転速度を高速モードにするようにでき、データ転送のパフォーマンスを上げることができる。
【００１６】
請求項５記載の発明は、バッファメモリへの一時保存情報は、外部機器のデータディスクであることを特徴とする請求項４記載の情報再生装置であって、ホストコンピュータなどの外部記憶装置のデータとして、高速で外部機器へ転送するようなデータ再生においては、光ディスクの回転速度を高速モードにするようにでき、データ転送のパフォーマンスを上げることができる。
【００１７】
請求項６記載の発明は、ディスクを回転させる回転手段と、ディスクの記録情報を読み込む手段と、読み込み情報を外部に出力するまでの間、読み込み情報を一時保存するバッファメモリと、バッファメモリへの一時保存情報を取得するのに要する一時保存情報処理時間を測定する手段と、を有する情報再生装置であって、ディスクの再生において所定期間内での一時保存情報処理時間を測定し、一時保存情報処理時間と閾値を判定し、一時保存情報処理時間が閾値を下回る場合にディスクの回転速度を下げることを特徴とする情報再生装置であって、ディスクの再生において所定期間内でのバッファメモリへの先読み情報処理時間を測定し、先読み情報処理時間と閾値を判定し、先読み情報処理時間が閾値を下回る場合にディスクの回転速度を下げることを特徴とする情報再生装置であり、特にＡＶデータなどの再生において、光ディスクの高速回転による風切り音や、振動による騒音や消費電力の低減を図り、映像や音楽を静かに楽しむことができるようになる。
【００１８】
請求項７記載の発明は、ディスクを回転させる回転手段と、ディスクの記録情報を読み込む手段と、読み込み情報を外部に出力するまでの間、バッファメモリへの一時保存情報を一時保存するバッファメモリと、バッファメモリへの一時保存情報を取得するのに要する一時保存情報処理時間を測定する手段と、を有する光ディスク装置であって、ディスクの再生において所定期間内での一時保存情報処理時間を測定し、一時保存情報処理時間と閾値を判定し、一時保存情報処理時間が閾値以上の場合にディスクの回転速度を上げることを特徴とする情報再生装置であって、ディスクの再生において所定期間内でのバッファメモリへの先読み情報処理時間を測定し、先読み情報処理時間と閾値を判定し、先読み情報処理時間が閾値以上の場合にディスクの回転速度を上げることを特徴とする情報再生装置であり、外部機器との転送速度が高いＰＣの外部記憶装置としてのデータ再生において、高速での処理ができるようになる。
【００１９】
請求項８記載の発明は、ディスクを回転させ、ディスクの記録情報を読み込み、読み込み情報を外部に出力するまでの間、読み込み情報をバッファメモリに一時保存し、バッファメモリへの一時保存情報を取得するのに要する一時保存情報処理時間を測定する情報再生装置の再生方法であって、ディスクの再生において所定期間内でのバッファメモリへの一時保存情報処理時間を測定し、バッファメモリへの一時保存情報処理時間と閾値を判定し、バッファメモリへの一時保存情報処理時間が閾値を下回る場合にディスクの回転速度を下げることを特徴とする情報再生装置の再生方法であって、ディスクの再生において所定期間内でのバッファメモリへの先読み情報処理時間を測定し、先読み情報処理時間と閾値を判定し、先読み情報処理時間が閾値を下回る場合にディスクの回転速度を下げることを特徴とする情報再生装置の再生方法であり、この再生方法によれば、特にＡＶデータなどの再生において、光ディスクの高速回転による風切り音や、振動による騒音や消費電力の低減を図ることができるようになる。
【００２０】
請求項９記載の発明は、ディスクを回転させ、ディスクの記録情報を読み込み、読み込み情報を外部に出力するまでの間、読み込み情報をバッファメモリに一時保存し、バッファメモリへの一時保存情報を取得するのに要する一時保存情報処理時間を測定する情報再生装置の再生方法であって、ディスクの再生において所定期間内でのバッファメモリへの一時保存情報処理時間を測定し、バッファメモリへの一時保存情報処理時間と閾値を判定し、バッファメモリへの一時保存情報処理時間が閾値以上の場合にディスクの回転速度を上げることを特徴とする情報再生装置の再生方法であって、ディスクの再生において所定期間内でのバッファメモリへの先読み情報処理時間を測定し、先読み情報処理時間と閾値を判定し、先読み情報処理時間が閾値以上の場合にディスクの回転速度を上げることを特徴とする情報再生装置の再生方法であり、この再生方法によれば、先読み処理時間が閾値以上の場合に光ディスクの回転速度を上げることを特徴とする光ディスク装置であり、外部機器との転送速度が高いＰＣの外部記憶装置としてのデータ再生において、高速での処理ができるようになる。
【００２１】
以下本発明の実施の形態について詳細に説明する。
【００２２】
なお、本発明においては、光磁気ディスク、ハードディスク、光ディスクなど回転する媒体に記録された情報を再生する情報再生装置であれば適用可能であるが、本実施の形態では一例として、光ディスク装置に関して説明をし、その他の構成については言及しない。
【００２３】
（実施の形態１）
以下、本発明の実施の形態１について詳細に説明する。
【００２４】
図１は、本発明の実施の形態１に係わる光ディスク装置の構成を示したブロック図である。
【００２５】
図１に示すように、光ディスク装置１は、ピックアッップモジュール１２、スピンドルモータ１３、フィードモータ１４、サーボモジュール１５、信号制御部１６、ＣＰＵ１７、メインメモリ１８、バッファメモリ１９、インターフェース１１０から構成されている。
【００２６】
そして、ホストコンピュータ１１１に接続され、光ディスク１１に記録されたデータをホストコンピュータ１１１に出力する。
【００２７】
光ピックアップ手段であるピックアップモジュール１２は、レーザ発光素子（図示せず）を有し、光ディスク１１のデータ読み出し時にレーザ光を照射し、再生を行う。スピンドルモータ１３は、光ディスク１１の回転を行う。
【００２８】
光ピックアップの移動手段であるフィードモータ１４は、光ピックアップモジュール１２をスピンドルモータ１３に近づいたり離れたり移動させる。サーボモジュール１５は、フィードモータ１４の移動制御およびスピンドルモータ１３の回転数を制御する回転速度制御手段である。インターフェース１１０は、ホストコンピュータ１１１とのデータ信号の送信および受信を行う。ＣＰＵ１７はメインメモリ１８を備え、メインメモリ１８に記録されたプログラム（ファームウェア）により、サーボモジュール１５の制御と信号制御部１６及びホストコンピュータ１１１とのインターフェース１１０の制御を行なう。バッファメモリ１９は、光ディスク１１のデータを一時的に蓄えておく先読み用のバッファメモリである。また、ＣＰＵ１７は、この先読み用バッファメモリへの一時保存情報を取得に要する先読み情報処理時間も測定する。
【００２９】
従来の光ディスク１１のデータの再生においては、データのリッピングなどの読み出し時には、光ディスク１１からの読み出し速度は、ホストコンピュータ１１１からの読み出し速度より遅いために、先読みバッファメモリ１９が一杯になることはない。一方ＡＶデータなどの再生においてはＡＶデータのビットレートの関係でホストコンピュータ１１１からの読み出し速度が遅くなり、先読みバッファメモリ１９が一杯になる状態が頻発する。光ディスク装置は、先読みバッファメモリ１９が一杯になった時点で、一旦ポーズ処理に移行し、バッファに空きができた時点で先読みを開始していたが、高速再生や停止状態が発生し、光ディスク１１の回転音や、風きり音、スピンドルモータ１３の回転音などが発生していた。本発明では、この一連の動作に着目し、一定期間内での先読み処理測定を行い、ＡＶデータの再生などの再生のように先読み処理時間が閾値を下回る場合、回転速度を下げ、低速モードにするようにして、高速回転による風きり音や振動による騒音や消費電力の低減をはかっている。
【００３０】
また、通常のリッピングなどのデータ読み出しにおいては、先読み処理時間が閾値より大きいかまたは先読み処理が発生しないので高速モードでの読み出しを行なっている。
【００３１】
図２は、本発明の実施の形態１に係る読み出し処理制御の一例を示す図である。
【００３２】
図２において、データ読み出し処理が開始されると（Ｓ２０１）、再生動作判定処理ルーチンが実施され（Ｓ２０２）、再生動作中かどうか判定し（Ｓ２０３）、再生動作中であれば、高速回転中かどうか判定し（Ｓ２０４）、再生読み出し速度である低速モードに設定し（Ｓ２０５）、データを読み出し（Ｓ２０６）、データ読み出しを終了する（Ｓ２０７）。
【００３３】
再生動作判定中かどうか判定し（Ｓ２０３）、再生動作中でなくリッピング動作中であればデータの読み出しをし（Ｓ２０６）、データ読み出しを終了する（Ｓ２０７）。
【００３４】
図３は、本発明の実施の形態１に係る再生動作判定処理ルーチンを示す図である。
【００３５】
図３において、再生動作判定が開始されると（Ｓ３０１）、先読み処理要求があるかどうか判定され（Ｓ３０２）、先読み要求があればアドレスの連続性があるかどうか判定し（Ｓ３０３）、アドレスの連続性があれば、先読み処理時間を取得し（Ｓ３０４）、一定の時間経過したかどうか判定し（Ｓ３０５）、一定の時間経過したら先読み処理時間が閾値異常かどうか判定し（Ｓ３０６）、閾値以上であればリッピング動作中と判断する（Ｓ３０７）。また閾値を下回る場合には、再生動作中と判別し（Ｓ３１０）、先読み処理時間を初期化し、測定時間を初期化し（Ｓ３０８）、再生動作判定を終了する（Ｓ３１１）。
【００３６】
先読み処理要求の判定で先読み要求がない（Ｓ３０２）場合、またアドレスの連続性がない場合（Ｓ３０３）には、リッピング動作中と判別し先読み処理時間を初期化し、測定時間を初期化し（Ｓ３０９）、再生動作判定を終了する（Ｓ３１１）。また先読み処理時間の取得で、一定の時間に満たない場合には、再生動作判定を終了する。
【００３７】
（実施の形態２）
以下、本発明の実施の形態２について詳細に説明する。なお、本実施の形態２において、実施の形態１と共通する部分については、繰り返して述べないこととする。
【００３８】
図４は、本発明の実施の形態２に係る読み出し処理制御の一例を示す図である。
【００３９】
図４において、データ読み出し処理要求が開始されると（Ｓ４０１）、再生動作判定処理ルーチンが実施される（Ｓ４０２）。この再生動作判定処理ルーチンは、実施の形態１記載の処理ルーチンである。
【００４０】
再生動作判定処理ルーチンの判定結果により、リッピング動作中かどうか判定し（Ｓ４０３）、リッピング動作中であれば、低速回転中かどうか判定し（Ｓ４０４）、低速回転中であれば、データ再生読み出し速度である高速モードで読み込み（Ｓ４０５）、データの読み出しを行い（Ｓ４０６）、データ読み出しを終了する（Ｓ４０７）。
【００４１】
リッピング中でない場合か、高速回転中であれば、データを読み出す（Ｓ４０６）。
【００４２】
（実施の形態３）
以下、本発明の実施の形態３について詳細に説明する。なお、本実施の形態３において、実施の形態１または実施の形態２と共通する部分については、繰り返して述べない。
【００４３】
図５は、本発明の実施の形態３に係る読み出し処理制御の一例を示す図である。
【００４４】
データ読み出し処理が開始されると（Ｓ５０１）、再生動作判定処理ルーチンが実施される（Ｓ５０２）。この再生動作判定処理ルーチンは、実施の形態１記載の処理ルーチンである。次に再生速度で動作中稼動かどうか判定し（Ｓ５０３）、再生動作中であれば、高速回転中かどうか判定し（Ｓ５０４）、高速回転中であれば、再生速度である高速モード読み込むに設定し（Ｓ５０５）、データを読み込み（Ｓ５０６）、データ読み出し終了する（Ｓ５０９）。
【００４５】
高速回転中かどうかの判定（Ｓ５０４）で、高速回転中ではなかったら、データを読み出す（Ｓ５０６）。
【００４６】
また、再生動作中かどうかの判断で（Ｓ５０３）、再生動作中でなかったら、低速回転中かどうか判断し（Ｓ５０７）、低速回転中だったら、データ読み出し速度とし（Ｓ５０８）、データを読み出す（Ｓ５０６）。低速回転中でなかったらデータを読み出す（Ｓ５０６）。
【産業上の利用可能性】
【００４７】
本発明は、ディスクに記録された情報を読み込み再生するディスク装置を搭載したディスク再生装置、たとえば、光ディスク装置、光磁気ディスク装置、ハードディスク装置など回転する記録媒体を有する再生装置全般に利用可能である。
【図面の簡単な説明】
【００４８】
【図１】本発明の実施の形態１に係わる光ディスク装置の構成を示したブロック図
【図２】本発明の実施の形態１に係る読み出し処理制御の一例を示す図
【図３】本発明の実施の形態１に係る再生動作判定処理ルーチンを示す図
【図４】本発明の実施の形態２に係る読み出し処理制御の一例を示す図
【図５】本発明の実施の形態３に係る読み出し処理制御の一例を示す図
【符号の説明】
【００４９】
１    光ディスク装置
１１    光ディスク
１２    ピックアッップモジュール
１３    スピンドルモータ
１４    フィードモータ
１５    サーボモジュール
１６    信号制御部
１７    ＣＰＵ
１８    メインメモリ
１９    バッファメモリ
１１０    インターフェース
１１１    ホストコンピュータ
【図１】
2006331565.tif 000003
【図２】
2006331565.tif 000004
【図３】
2006331565.tif 000005
【図４】
2006331565.tif 000006
【図５】
2006331565.tif 000007